(57)【要約】【課題】ユーザが車両を用いて移動するときのそのユーザの行動の状態遷移に応じた情報配信を行う。【解決手段】ユーザが車両１５０を利用する場合には、例えば乗車前、車両１５０への乗車、乗車してから出発するまでの準備、車両１５０の運転、車両１５０からの降車、といった具合に複数の行動の状態があり、これらの状態が時系列的に遷移していく。情報配信装置１００は、車両１５０を利用して移動するユーザの複数の行動の状態においてそのユーザに情報を配信するための配信条件と、そのユーザに配信する情報とを対応付けて記憶している。情報配信装置１００は、ユーザの行動の状態をリアルタイムに特定し、特定した状態において満たされる配信条件に基づいてユーザに配信する広告情報を決定し、決定した広告情報をネットワーク９００経由でユーザ端末２００に配信する。【選択図】図１
2019101452.tif 000002
【特許請求の範囲】
【請求項１】
ユーザが車両を利用して移動するときの当該ユーザの行動の各状態において情報を配信するための配信条件と、配信対象となる情報とを記憶する記憶部と、
前記ユーザの行動の状態を特定する特定部と、
前記特定部によって特定された状態に対応する前記配信条件が満たされるか否かを判断する判断部と、
前記判断部により満たされると判断された前記配信条件に基づいて、前記ユーザに配信する前記情報を決定する決定部と、
前記決定部により決定された情報を配信する配信部と
を備えることを特徴とする情報配信装置。
【請求項２】
前記記憶部は、各々の前記配信条件に対応付けて、前記配信部による前記情報の配信に対する対価を記憶しており、
前記判断部により満たされると判断された配信条件に応じた前記対価を前記情報の提供元に請求するための処理を行う対価処理部を備える
ことを特徴とする請求項１に記載の情報配信装置。
【請求項３】
前記配信部は、前記判断部により満たされると判断された配信条件に応じた前記対価が大きい前記情報を優先的に配信する
ことを特徴とする請求項２に記載の情報配信装置。
【請求項４】
前記配信部により配信された情報によって案内される場所に前記ユーザが移動したか否かを確認する確認部を備え、
前記記憶部は、前記確認部による確認結果に応じて、前記配信条件が満たされるか否かを前記判断部が判断するために用いる、前記ユーザに関する情報を更新する
ことを特徴とする請求項１〜３のいずれか１項に記載の情報配信装置。
【請求項５】
前記配信部により配信された情報によって案内される場所に前記ユーザが移動したか否かを確認する確認部を備え、
前記対価処理部は、前記確認部による確認結果に応じた対価を、前記情報の提供元に請求するための処理を行う
ことを特徴とする請求項２又は３に記載の情報配信装置。
【請求項６】
前記配信部により配信された情報によって案内される場所に前記ユーザが移動したか否かを確認する確認部と、
前記確認部による確認結果に応じて、前記ユーザごと又は前記情報の提供元ごとに、各々の前記状態において前記配信部により配信された情報によって案内される場所に前記ユーザが移動する確率に応じた情報を生成する生成部とを備える
ことを特徴とする請求項１〜３のいずれか１項に記載の情報配信装置。
【請求項７】
前記判断部は、前記ユーザと前記車両に同乗している同乗者に対しても、前記特定部によって特定された状態において満たされる前記配信条件を判断する
ことを特徴とする請求項１〜６のいずれか１項に記載の情報配信装置。
【請求項８】
前記決定部は、一のユーザに対する情報の重複を避けて、当該一のユーザに配信する前記情報を決定する
ことを特徴とする請求項１〜７のいずれか１項に記載の情報配信装置。
【請求項９】
前記配信条件は、前記ユーザに関する配信条件、前記情報によって案内される場所に関する配信条件、及び前記情報の配信時の環境に関する配信条件を含む
ことを特徴とする請求項１〜８のいずれか１項に記載の情報配信装置。
【請求項１０】
前記配信部は、前記判断部により満たされると判断された配信条件に基づいて決定される前記情報が複数ある場合には、それぞれの前記情報の優先度に応じた配信を行う
ことを特徴とする請求項１〜９のいずれか１項に記載の情報配信装置。
【発明の詳細な説明】
【技術分野】
【０００１】
本発明は、ユーザに情報を配信するための技術に関する。
【背景技術】
【０００２】
車両に乗車して移動するユーザに対して情報配信を行う仕組みが提案されている。例えば特許文献１には、広告主が、広告を配信する対象となるエリア、広告が狙いとするユーザのグループ及びユーザの店舗等への立寄目的などの、広告配信の対象となるべきユーザを絞り込む条件を設定することで、広告主が意図したユーザにのみ広告を配信する仕組みが開示されている。
【先行技術文献】
【特許文献】
【０００３】
【特許文献１】特開２０１１−２３８２６２号公報
【発明の概要】
【発明が解決しようとする課題】
【０００４】
ところで、ユーザが車両で移動する場合には、例えば乗車前、乗車、乗車してから出発するまでの準備、車両の運転、降車といった具合に複数の行動の状態があり、これらの状態が時系列的に遷移していく。そこで、本発明は、ユーザが車両を用いて移動するときのそのユーザの行動の状態遷移に応じた情報配信を行うことを目的とする。
【課題を解決するための手段】
【０００５】
上記課題を解決するため、本発明は、ユーザが車両を利用して移動するときの当該ユーザの行動の各状態において情報を配信するための配信条件と、配信対象となる情報とを記憶する記憶部と、前記ユーザの行動の状態を特定する特定部と、前記特定部によって特定された状態に対応する前記配信条件が満たされるか否かを判断する判断部と、前記判断部により満たされると判断された前記配信条件に基づいて、前記ユーザに配信する前記情報を決定する決定部と、前記決定部により決定された情報を配信する配信部とを備えることを特徴とする情報配信装置を提供する。
【０００６】
前記記憶部は、各々の前記配信条件に対応付けて、前記配信部による前記情報の配信に対する対価を記憶しており、前記判断部により満たされると判断された配信条件に応じた前記対価を前記情報の提供元に請求するための処理を行う対価処理部を備えるようにしてもよい。
【０００７】
前記配信部は、前記判断部により満たされると判断された配信条件に応じた前記対価が大きい前記情報を優先的に配信するようにしてもよい。
【０００８】
前記配信部により配信された情報によって案内される場所に前記ユーザが移動したか否かを確認する確認部を備え、
前記記憶部は、前記確認部による確認結果に応じて、前記配信条件が満たされるか否かを前記判断部が判断するために用いる、前記ユーザに関する情報を更新するようにしてもよい。
【０００９】
前記配信部により配信された情報によって案内される場所に前記ユーザが移動したか否かを確認する確認部を備え、前記対価処理部は、前記確認部による確認結果に応じた対価を、前記情報の提供元に請求するための処理を行うようにしてもよい。
【００１０】
前記配信部により配信された情報によって案内される場所に前記ユーザが移動したか否かを確認する確認部と、前記確認部による確認結果に応じて、前記ユーザごと又は前記情報の提供元ごとに、各々の前記状態において前記配信部により配信された情報によって案内される場所に前記ユーザが移動する確率に応じた情報を生成する生成部とを備えるようにしてもよい。
【００１１】
前記判断部は、前記ユーザと前記車両に同乗している同乗者に対しても、前記特定部によって特定された状態において満たされる前記配信条件を判断するようにしてもよい。
【００１２】
前記決定部は、一のユーザに対する情報の重複を避けて、当該一のユーザに配信する前記情報を決定するようにしてもよい。
【００１３】
前記配信条件は、前記ユーザに関する配信条件、前記情報によって案内される場所に関する配信条件、及び前記情報の配信時の環境に関する配信条件を含むようにしてもよい。
【００１４】
前記配信部は、前記判断部により満たされると判断された配信条件に基づいて決定される前記情報が複数ある場合には、それぞれの前記情報の優先度に応じた配信を行うようにしてもよい。
【発明の効果】
【００１５】
本発明によれば、ユーザが車両を用いて移動するときのそのユーザの行動の状態遷移に応じた情報配信を行うことができる。
【図面の簡単な説明】
【００１６】
【図１】情報配信システムの全体構成を示す図
【図２】情報配信装置のハードウェア構成を示すブロック図
【図３】情報配信装置が実現する機能を示す機能ブロック図
【図４】配信条件として利用される内容の一例を示す図
【図５】情報配信装置の動作を示すフローチャート
【図６】（ａ）或るユーザに配信される広告情報の決定例と、（ｂ）〜（ｄ）配信条件と広告情報とを対応付けて記憶した例を示す図
【発明を実施するための形態】
【００１７】
図１は、本発明の一実施形態である情報配信システムの全体構成を示す図である。情報配信システムは、広告主によって提供される広告を含む広告情報を車両で移動するユーザに配信するシステムである。図１に示すように、情報配信システムは、広告配信サービスを提供する情報配信装置１００と、ユーザによって運転される車両１５０と、車両１５０を用いて移動するユーザによって操作されるユーザ端末２００と、広告主によって管理される広告主管理装置３００とを備える。ユーザ端末２００及び広告主管理装置３００は、ネットワーク９００を介して情報配信装置１００と接続されており、相互に通信を行う。ネットワーク９００は、インターネットや移動通信網等の有線又は無線の通信ネットワークである。ネットワーク９００は、単独の通信ネットワークではなく、通信方式が異なる複数の通信ネットワークを相互接続したものであってもよい。なお、図１には、情報配信装置１００、車両１５０、ユーザ端末２００及び広告主管理装置３００を１つずつ示しているが、これらはそれぞれ複数であってもよい。
【００１８】
ユーザ端末２００は、例えばスマートホンやタブレットなどの通信可能なコンピュータであり、例えばＣＰＵ（Central Processing Unit）などの演算処理装置と、例えばＲＯＭ（Read Only Memory）及びＲＡＭ（Random Access Memory）などの記憶装置とを備えた制御部と、例えばアンテナや通信回路を備えて移動通信網の基地局と無線通信を行う通信部と、例えばＥＥＰＲＯＭ（Electronically Erasable and Programmable ROM）やフラッシュメモリなどの記憶部と、例えばキーやタッチセンサなどの操作子が設けられた操作部、例えば液晶パネルや液晶駆動回路などの表示部及び例えばスピーカ又はイヤホン用端子などの音声出力部を含むＵＩ（User Interface）部と、ＧＰＳ（Global Positioning System）によって測位を行う測位部とを備えている。
【００１９】
ユーザが車両１５０を利用する場合には、例えば乗車前、車両１５０への乗車、乗車してから出発するまでの準備、車両１５０の運転、車両１５０からの降車、といった具合に複数の行動の状態があり、これらの状態が時系列的に遷移していく。情報配信装置１００は、車両１５０を利用して移動するユーザの複数の行動の状態においてそのユーザに情報を配信するための配信条件と、そのユーザに配信する情報とを対応付けて記憶している。情報配信装置１００は、ユーザの行動の状態をリアルタイムに特定し、特定した状態において満たされる配信条件に基づいてユーザに配信する広告情報を決定し、決定した広告情報をネットワーク９００経由でユーザ端末２００に配信する。
【００２０】
図２は、情報配信装置１００のハードウェア構成を示すブロック図である。情報配信装置１００は例えばサーバマシンなどのコンピュータであり、制御部１１と、通信部１２と、記憶部１３とを備えている。制御部１１は、ＣＰＵ等の演算装置と、ＲＯＭ及びＲＡＭなどの記憶装置とを備えている。ＣＰＵは、ＲＡＭをワークエリアとして用いてＲＯＭや記憶部１３に記憶されたプログラムを実行することによって、情報配信装置１００の各部の動作を制御する。通信部１２はネットワーク９００に接続されており、通信処理を行う。記憶部１３は、例えばハードディスク等の記憶装置であり、制御部１１が用いるデータ群やプログラム群を記憶している。記憶部１３は、ユーザに関する情報（ユーザプロファイル）を含むユーザデータベース（以下、データベースをＤＢという）と、ユーザの各々の行動の状態においてそのユーザに広告情報を配信するための配信条件を含む配信条件ＤＢと、配信対象となる広告情報を含む広告ＤＢとを記憶している。ユーザＤＢは、例えばユーザの名前、生年月日、血液型、住所等の、各々のユーザごとに異なるユーザプロファイルを含んでいる。配信条件ＤＢは、各々の広告主ごとに異なる配信条件を含んでいる。どの配信条件が満たされた場合にどの広告情報を配信するかが分かるように、広告ＤＢに含まれる広告情報は、対応する配信条件と関連付けられて記憶されている。
【００２１】
広告主管理装置３００は、情報配信装置１００と同様のハードウェア構成（制御部、通信部及び記憶部）を備えたサーバマシンなどのコンピュータである。
【００２２】
図３は、情報配信装置１００の機能構成を示す図である。図３に示した記憶部１０１は主に記憶部１３（図２）によって実現される機能であり、特定部１０２、判断部１０３及び決定部１０４は主に制御部１１（図２）によって実現される機能であり、配信部１０５、対価処理部１０６及び確認部１０７は主に制御部１１及び通信部１２（図２）によって実現される機能である。
【００２３】
記憶部１０１は、ユーザに関する情報（ユーザＤＢ）を記憶するほか、ユーザが車両１５０を利用して移動するときの当該ユーザの行動の各状態において情報を配信するための配信条件（配信条件ＤＢ）と、配信対象となる広告情報（広告ＤＢ）とを対応付けて記憶する。配信条件は、ユーザに関する配信条件と、広告情報によって案内される場所に関する配信条件と、広告情報の配信時の環境に関する配信条件とを含む。記憶部１０２は、さらに各々の配信条件に対応付けて、情報配信装置１００による広告情報の配信に対する対価を記憶している。この対価は、情報配信装置１００がユーザに広告情報を配信することに対して、広告情報の提供元である広告主から情報配信装置１００の管理者に支払われる金銭である。この対価は、広告主ごとに異なっていてもよいし、同じであってもよい。
【００２４】
ここで、図４は、配信条件として利用され得る内容の一例を列挙した図である。ユーザに関する配信条件（ユーザ条件）は、ユーザから明示的に申告された属性（例えば名前や生年月日等）のほか、ユーザの行動履歴としてユーザ端末２００等から情報配信装置１００等が取得したもの（例えば検索履歴や）や、ユーザの属性や行動履歴に基づいて情報配信装置１００等が周知のアルゴリズムで予測した属性（例えば年収や趣味趣向、疲労状態等）等の、ユーザに関するあらゆる内容を含む。
【００２５】
広告情報によって案内される場所に関する配信条件（広告主条件）は、例えばその場所が店舗である場合には、店舗における混雑状況や商品在庫の多少或いは駐車場の空き具合等のほか、その店舗とユーザとの位置関係を含む。
【００２６】
広告情報の配信時の環境に関する配信条件（環境条件）は、例えば朝、昼、夜の時間帯等のようなユーザ端末２００の位置における時間に関する時間条件と、天候や人口等のようなユーザ端末２００の位置における地理に関する地理的条件とを含む。なお、図４に示した配信条件は一例であり、この例示以外の内容を配信条件としてもよい。
【００２７】
図６（ｂ）〜図６（ｄ）は、記憶部１０１が広告主ごとに配信条件と広告情報とを対応付けて記憶した例である。本実施形態では、ユーザの行動として、既述のとおり乗車前、乗車、乗車してから出発するまでの準備、車両の運転、降車という５つの状態を想定しているが、これらの図では、行動の状態である乗車を「乗車時」と表現し、乗車してから出発するまでの準備を「目的地設定時」と表現し、車両の運転を「運転中」と表現し、降車を「降車時」と表現している（行動の状態である乗車時はそのまま「乗車時」と表現している）。
【００２８】
図６（ｂ）は広告主が飲食店の店舗Ａの例であり、或るユーザについて乗車前と運転中において図示された配信条件が満たされたときに、対応する店舗Ａの広告情報が上記ユーザのユーザ端末２００に配信されることが示されている。
【００２９】
図６（ｃ）は広告主がショッピングセンターの店舗Ｂの例であり、或るユーザについて乗車前と目的地設定時において図示された配信条件が満たされたときに、対応する店舗Ｂの広告情報が上記ユーザのユーザ端末２００に配信されることが示されている。
【００３０】
図６（ｄ）は広告主がコンビニエンストアの店舗Ｃの例であり、或るユーザについて運転中において図示された配信条件が満たされたときに、対応する店舗Ｃの広告情報が上記ユーザのユーザ端末２００に配信されることが示されている。
【００３１】
なお、図６（ｂ）〜図６（ｄ）の例では、行動の状態に関わらず、配信される広告情報は１の広告主について１種類である場合を示したが、１の広告主について行動の状態ごとに異なる広告情報が対応付けられていてもよい。例えば図６（ｂ）において、乗車前という行動に対応付けられて店舗Ａの第１の広告情報が記憶され、運転中という行動に対応付けられて店舗Ａの第２の広告情報が記憶されていてもよい。この場合、或るユーザについて乗車前において図示された配信条件が満たされたときに、対応する店舗Ａの第１の広告情報が上記ユーザのユーザ端末２００に配信され、或るユーザについて運転中において図示された配信条件が満たされたときに、対応する店舗Ａの第２の広告情報が上記ユーザのユーザ端末２００に配信されることになる。
【００３２】
図３の説明に戻り、特定部１０２は、ユーザの行動の状態を特定する。これらの状態は例えばユーザ端末２００の位置及び処理内容に基づいて特定される。具体的には、ユーザ端末２００による測位結果が定期的に情報配信装置１００に通知されるようになっており、特定部１０２は、その位置が変化する速さや、ユーザ端末２００の位置と予め決められた車両１５０の駐車位置との位置関係に基づいて、乗車前、車両の運転、降車といった各状態を特定する。また、ユーザ端末２００にはカーナビゲーション機能が実装されており、このカーナビゲーション機能の処理内容が情報配信装置１００に通知されるようになっている。特定部１０２は、カーナビゲーション機能が起動されたときに、車両の乗車という状態に遷移したことを特定し、カーナビゲーション機能において目的地検索や経路探索が実行されたときに、乗車してから出発するまでの準備という状態に遷移したことを特定する。なお、ユーザの行動の状態の種類や、これらの状態を特定する手法は一例であり、この例示以外の行動の状態をこの例示以外の手法で特定してもよい。
【００３３】
判断部１０３は、特定部１０２によって特定された状態に対応する配信条件が満たされるか否かを判断する。具体的には、配信条件を満たすか否かを判断するための要素（例えばユーザプロファイルやユーザ端末２００の位置や処理内容）をユーザＤＢ又はユーザ端末２００その他の装置から取得し、これらを配信条件と比較して、配信条件が満たされるか否かを各ユーザについて判断する。
【００３４】
決定部１０４は、判断部１０３により或るユーザについて満たされると判断された配信条件に基づいて、そのユーザに配信する広告情報を決定する。つまり、図６（ｂ）の例では、或るユーザについて乗車前と運転中において図示された配信条件が満たされたときに、対応する店舗Ａの広告情報を上記ユーザのユーザ端末２００に配信するものとして決定する。
【００３５】
配信部１０５は、或るユーザについて決定部１０４により決定された広告情報を記憶部１０１の広告ＤＢから読み出して、そのユーザのユーザ端末２００に配信する。
【００３６】
対価処理部１０６は、判断部１０３により満たされると判断された条件に応じた対価を広告主に請求するための処理を行う。具体的には、対価処理部１０６は、判断部１０３により満たされると判断された条件に基づいて配信された広告情報の提供元である広告主の広告主管理装置３００に対して、その広告情報を配信したことを通知する。この通知に応じて、広告主管理装置３００ではその対価を支払うための支払乃至決済処理がなされる。
【００３７】
確認部１０７は、配信部１０５により配信された広告情報によって案内される場所にユーザが移動したか否かを確認する。記憶部１０１は、確認部１０７による確認結果に応じて、記憶部１０１のユーザＤＢを更新する。具体的には、確認部１０７は、配信部１０５による広告情報配信後の一定期間内にユーザ端末２００から位置を取得して、その位置と配信した広告情報によって案内される場所とが合致したか否かを判断し、合致した場合には案内された場所にユーザが移動したことを確認する。記憶部１０１は、案内された場所にユーザが移動したことが確認された場合には、周知のアルゴリズムに従い、ユーザの趣味趣向や行動履歴についてユーザＤＢを更新する。例えば、案内された場所にユーザが移動したことが確認された場合には、その場所に応じた趣味趣向の度合いが高いという結果に応じた更新処理がなされることになる。
【００３８】
［動作］
次に、図５、６を参照して本実施形態の動作を説明する。図５に示した広告情報の配信処理の前段として、論理的な地図空間が広告スペースとして定義され、この地図空間が広告主への広告エリアとして提供される。具体的には、地図空間が所定サイズのメッシュ空間に分割され、広告主は所望のメッシュ空間を指定し、そのメッシュ空間に応じた位置に居るユーザへの情報配信の配信条件、対価及び広告情報を情報配信装置１００の管理者に提示する。この提示に応じて、情報配信装置１００において配信条件、対価及び広告情報が記憶される。
【００３９】
図５のステップＳ１１において、まず、特定部１０２は、各ユーザ端末２００のユーザの行動の状態を特定する。つまり、それぞれのユーザ端末２００による測位結果が定期的に情報配信装置１００に通知されるから、特定部１０２は、その位置が変化する速さや、ユーザ端末２００の位置と予め決められた車両１５０の駐車位置との位置関係に基づいて、乗車前、車両の運転、降車といった各状態を特定する。
【００４０】
ステップＳ１２において、判断部１０３は、各ユーザについて特定部１０２によって特定された状態に対応する配信条件が満たされるか否かを判断する。つまり、判断部１０３は、配信条件を満たすか否かを判断するための要素（例えばユーザプロファイルやユーザ端末２００の位置や処理内容）をユーザＤＢ又はユーザ端末２００その他の装置から取得し、これらを配信条件と比較して、配信条件が満たされるか否かを各ユーザについて判断する。
【００４１】
ステップＳ１３において、決定部１０４は、判断部１０３により満たされると判断された配信条件に基づいて、ユーザに配信する広告情報を決定する。例えば図６（ａ）のようなユーザプロファイルのユーザについて、図６（ｂ）〜図６（ｄ）の配信条件に従って配信対象となる広告情報を決定する場合の例を説明する。図６において、或るユーザについて乗車前には、図６（ｂ）の配信条件のうち３／４の条件が合致し、図６（ｃ）の配信条件のうち２／５の条件が合致している。この場合、配信部１０５は、図６（ｂ）の店舗Ａの広告情報と図６（ｃ）の店舗Ｂの広告情報を上記ユーザのユーザ端末２００に配信するが、配信条件を満たす割合が高い店舗Ａの広告情報を、配信条件を満たす割合が低い店舗Ｂの広告情報よりも優先的に配信する。ここで、優先的に広告情報を配信するとは、優先される広告情報のみを配信するパターンと、優先される広告情報がユーザ端末２００の表示部においてユーザの操作の手間がより少ないように又は他の広告情報とは異なる表示態様（例えば目立つような表示態様）で表示されるように配信するパターンを含む。
【００４２】
次に、乗車時においては、或るユーザについて満たされる配信条件がないので、そのユーザのユーザ端末２００に対して広告情報は配信されない。
【００４３】
目的地設定時においては、或るユーザについて図６（ｃ）の配信条件のうち２／５の条件が合致するから、配信部１０５は、図６（ｃ）の店舗Ｂの広告情報をそのユーザのユーザ端末２００に対して配信する。
【００４４】
運転中においては、或るユーザについて図６（ｂ）の配信条件のうち３／４の条件が合致し、図６（ｄ）の配信条件のうち６／７の条件が合致している。この場合、配信部１０５は、図６（ｂ）の店舗Ａの広告情報と図６（ｄ）の店舗Ｃの広告情報をそのユーザのユーザ端末２００に対して配信するが、配信条件を満たす割合が高い店舗Ｃの広告情報を、配信条件を満たす割合が低い店舗Ａの広告情報よりも優先的に配信する。
【００４５】
降車時においては、或るユーザについて満たされる配信条件がないので、そのユーザのユーザ端末２００に対して広告情報は配信されない。
【００４６】
図５に戻り、ステップＳ１４において、配信部１０５は、或るユーザについて決定部１０４により決定された広告情報を広告ＤＢから読み出して、そのユーザのユーザ端末２００に配信する。
【００４７】
ステップＳ１５において、対価処理部１０６は、判断部１０３により満たされると判断された条件に応じた対価を広告主に請求するための処理を行う。つまり、対価処理部１０６は、判断部１０３により満たされると判断された条件に基づいて配信された広告情報の提供元である広告主の広告主管理装置３００に対して、その広告情報を配信したことを通知する。
【００４８】
ステップＳ１６において、確認部１０７は、配信部１０５により配信された広告情報によって案内される場所にユーザが移動したか否かを確認する。つまり、確認部１０７は、配信部１０５による広告情報配信後の一定期間内にユーザ端末２００から位置を取得して、その位置と配信した広告情報によって案内される場所とが合致したか否かを判断し、これらが合致した場合には、案内された場所にユーザが移動したことを確認する。
【００４９】
ステップＳ１７において、記憶部１０１は、確認部１０７による確認結果に応じて、ユーザＤＢを更新する。つまり、記憶部１０１は、案内された場所にユーザが移動したことが確認された場合には、周知のアルゴリズムに従い、ユーザの趣味趣向や行動履歴についてユーザＤＢを更新する。
【００５０】
以上説明した実施形態によれば、ユーザが車両を用いて移動するときのそのユーザの行動の状態遷移に応じた情報配信を行うことが可能となる。さらに、広告情報の配信による広告効果を確認したうえでユーザプロファイルを更新することが可能となる。
【００５１】
［変形例］
上述した実施形態は次のような変形が可能である。また、以下の変形例を互いに組み合わせて実施してもよい。
［変形例１］
実施形態では、配信条件を満たす割合が高い広告情報をその割合が低い広告情報よりも優先的に配信していたが、複数の広告情報のうちどれを優先的に配信するかを決める方法はこれ以外であってもよい。例えば、満たされる個々の配信条件の絶対数が多い広告情報をその絶対数が少ない広告情報よりも優先的に配信してもよいし、個々の配信条件に重み付けがされており、その重み付けを考慮して優先するべき広告情報を配信してもよい。
【００５２】
また、例えば情報配信に対する対価が配信条件に応じて異なる場合、配信部１０５は、判断部１０３により満たされると判断された配信条件に応じた対価が大きい広告情報を優先的に配信するようにしてもよい。ここで、優先的に広告情報を配信するとは、優先される広告情報のみを配信するパターンと、優先される広告情報がユーザ端末２００の表示部においてユーザの操作の手間がより少ない又は他の広告情報は異なる表示態様（例えば目立つような表示態様）で表示されるように配信するパターンを含む。
【００５３】
つまり、配信部１０５は、判断部１０３により満たされると判断された配信条件に基づいて決定される広告情報が複数ある場合には、それぞれの広告情報の優先度に応じた配信を行うようにすればよい。
【００５４】
［変形例２］
対価処理部１０６は、確認部１０７による確認結果に応じた対価を、配信情報の提供元（広告主）に請求するための処理を行ってもよい。対価処理部１０６は、例えば、配信された広告情報によって案内される場所にユーザが移動したことが確認できた場合は、そのことが確認できなかった場合、又はその広告情報によって案内される場所にユーザが移動しなかったことが確認できた場合よりも、高い対価を請求するための処理を行う。これにより、広告効果に応じた情報配信の対価を請求することが可能となる。
【００５５】
［変形例３］
情報配信装置１００は、確認部１０７による確認結果に応じて、ユーザごと又は配信情報の提供元ごとに、各々の状態において配信部１０５により配信された情報によって案内される場所にユーザが移動する確率に応じた情報を生成する生成部を備えてもよい。具体的には、この生成部は、配信された広告情報によって案内される場所にユーザが移動したことが確認できたこと、そのことが確認できなかったこと、又はその広告情報によって案内される場所にユーザが移動しなかったことが確認できたことを列挙した一覧やその集計結果を生成する。この一覧や集計結果を解析することで、ユーザの行動の各状態において広告効果が高いユーザプロファイル又は広告主（例えば飲食店、スーパーマーケット、コンビニエンスストア等の業態）を特定することが可能となる。
【００５６】
［変形例４］
判断部１０３は、ユーザと車両１５０に同乗している同乗者に対しても、特定部１０２によって特定された状態において満たされる配信条件を判断してもよい。具体的には、同乗者もユーザ端末２００を所持している場合には、情報配信装置１００はユーザに対する処理と同様の処理をその同乗者に対しても行う。このとき判断部１０３は、ユーザ及び同乗者の双方について配信条件の充足の有無を判断する。これにより、同乗者をも考慮した情報配信が可能となる。
【００５７】
［変形例５］
決定部１０４は、一のユーザに対する情報の重複を避けて、当該一のユーザに配信する配信情報を決定するようにしてもよい。具体的には、決定部１０４は、判断部１０３により満たされると判断された配信条件に基づいて、ユーザに配信する広告情報を決定したときの履歴を記憶しておき、同一のユーザに対しては、一定期間、同一の広告情報を配信しないようにして、配信対象となる広告情報を決定する。この場合、配信部１０５は、判断部１０３により満たされると判断された配信条件に基づいて決定される広告情報が複数ある場合には、一のユーザに対する情報の重複を避けるようにして、優先度に応じた情報配信を行ってもよい。これにより、広告情報の重複配信を避けることが可能となる。
【００５８】
［変形例６］
車両１５０は、自動車に限らず、自動二輪車や自転車などであってもよい。
配信される情報は広告に相当する内容を含まなくてもよい。
ユーザ端末２００がカーナビゲーション装置を兼ねる必要はなく、ユーザ端末２００とカーナビゲーション装置が別体であってもよく、この場合、カーナビゲーション装置はユーザ端末２００及びネットワーク９００を介して情報配信装置１００と通信を行ってもよいし、ユーザ端末２００を経由せずにネットワーク９００を介して情報配信装置１００と通信を行ってもよい。
【００５９】
［その他の変形例］
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６０】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６１】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６２】
本明細書で使用する「システム」及び「ネットワーク」という用語は、互換的に使用される。
【００６３】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００６４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。また、「含む（including）」、「含んでいる（comprising）」、及びそれらの変形が、本明細書或いは特許請求の範囲で使用されている限り、これら用語は、用語「備える」と同様に、包括的であることが意図される。さらに、本明細書或いは特許請求の範囲において使用されている用語「又は（or）」は、排他的論理和ではないことが意図される。また、本開示の全体において、例えば、英語でのa, an, 及びtheのように、翻訳により冠詞が追加された場合、これらの冠詞は、文脈から明らかにそうではないことが示されていなければ、複数のものを含むものとする。
【００６５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００６６】
「接続された（connected）」、「結合された（coupled）」という用語、又はこれらの  あらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００６７】
本発明に係る情報配信装置１００は、実施形態で説明したようにそれぞれの機能の全てを一体に備えた装置によっても実現可能であるし、それぞれの装置の機能を、さらに複数の装置に分散して実装したシステムであってもよい。例えば情報配信装置１００の記憶部１０１、特定部１０２、判断部１０３及び決定部１０４が複数の装置にそれぞれ実装され、全体として情報配信装置１００と同等の機能を実現する管理システムであってもよい。
また、ユーザ端末２００及び広告主管理装置３００は、スマートホンやタブレットなどの無線通信を行う装置に限らず、例えばノートブック型のパーソナルコンピュータなどの有線通信を行う装置であってもよい。
【００６８】
本発明は、情報配信装置１００が行う情報処理方法、或いは、情報配信装置１００としてコンピュータを機能させるためのプログラムといった形態でも実施が可能である。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【符号の説明】
【００６９】
１００・・・情報配信装置、１１・・・制御部、１２・・・通信部、１３・・・記憶部、１０１・・・記憶部、１０２・・・特定部、１０３・・・判断部、１０４・・・決定部、１０５・・・配信部、１０６・・・対価処理部、１０７・・・確認部、２００・・・ユーザ端末、３００・・・広告主管理装置、９００・・・ネットワーク。
【図１】
2019101452.tif 000003
【図２】
2019101452.tif 000004
【図３】
2019101452.tif 000005
【図４】
2019101452.tif 000006
【図５】
2019101452.tif 000007
【図６】
2019101452.tif 000008